(57)【要約】【課題】オペレータの熟練度によらず受信装置におけるマイクロ波の受信状態を常に良好な状態に調整できるようにする。【解決手段】センタＣＳ内に設けられた方調操作端末５１により、送信局ＭＳ１，ＭＳ２から送信される無線搬送波が基地局ＢＳ１の回転受信装置２１及びセンタＣＳの回転受信装置３１において適切に受信されるように、上記回転受信装置２１，３１を遠隔制御する機能を備えるＦＰＵシステムにあって、上記方調操作端末５１において、上記回転受信装置２１，３１の受信状態を表す情報に加え、動作確認または調整対象となる調整項目のガイド情報を表示デバイス６９に表示させる。またその際、ガイド情報として表示される複数の調整項目に対し優先順位を設定しておき、この設定された優先順位に従って調整項目のガイダンスメッセージを順に表示する。【選択図】      図３
2009118269.tif 000002
【特許請求の範囲】
【請求項１】
送信地点に配置され情報信号を指向性を有するアンテナから無線送信する送信装置と、受信地点に配置され前記送信装置から無線送信された情報信号を指向性を有するアンテナにより受信する受信装置とを有する伝送システムの、前記受信装置のアンテナの受信方向を遠隔制御する方向調整制御装置において、
前記受信装置における前記情報信号の受信状態を表す情報を、当該受信装置から取得して表示する手段と、
オペレータの調整操作に応じて遠隔制御信号を生成し、この遠隔制御信号を前記受信装置へ送信して前記受信装置のアンテナの受信方向を遠隔制御する手段と、
前記調整操作を支援するための操作ガイド情報を生成し、この生成された操作ガイド情報を前記オペレータに提示するガイド情報提示制御手段と
を具備することを特徴とする方向調整制御装置。
【請求項２】
前記ガイド情報提示制御手段は、
複数の調整項目と当該調整項目の各々に対し設定された優先順位を相互に対応付けて記憶する手段と、
前記複数の調整項目に対応する操作ガイド情報を、前記記憶された優先順位により表される順序に従い提示する手段と
を備えることを特徴とする請求項１記載の方向調整制御装置。
【請求項３】
前記ガイド情報提示制御手段は、
前記複数の調整項目の各々に対し設定された優先順位をオペレータの入力操作に従い変更する手段を、さらに備えることを特徴とする請求項１記載の方向調整制御装置。
【発明の詳細な説明】
【技術分野】
【０００１】
この発明は、例えば取材地点の映像等の放送素材を基地局で中継して放送局へ伝送するシステムにあって、基地局の受信アンテナの受信方向を遠隔制御する方向調整制御装置に関する。
【背景技術】
【０００２】
報道番組やスポーツ番組を放送する場合、取材地点においてテレビジョンカメラにより撮像された映像等の放送素材を中継車からマイクロ波により送信し、このマイクロ波を例えば見通しの良い山頂等に設置された基地局で受信し、さらにマイクロ波により本社へ伝送し、収録又は放送する伝送システムが用いられる。
【０００３】
ところで、この種の伝送システムにおいて放送素材を品質良く伝送するには、中継車から送信されるマイクロ波が基地局で確実に受信されるように、基地局の受信アンテナの受信方向を正確に調整する必要がある。そこで、従来のシステムではＦＰＵ（Field Pick-up Unit）リモコンシステムを採用している。このシステムは、基地局に受信方向を可変可能な回転式受信アンテナを設けると共に、放送局等のセンタに方向調整制御装置を設け、上記回転式受信アンテナの受信方向を方向調整制御装置においてオペレータの操作により遠隔制御可能としたものである。ＦＰＵリモコンシステムには調整支援機能が備えられており、基地局におけるマイクロ波の受信状態を表す情報、例えば受信電界レベルが方向調整制御装置に表示される。したがって、オペレータはこの表示された受信状態を表す情報を参照しながら遠隔制御のための操作を行うことができる。
【特許文献１】特開２００５−７３００７号公報
【発明の開示】
【発明が解決しようとする課題】
【０００４】
ところが、従来のＦＰＵリモコンシステムで使用される方向調整制御装置では、単に受信電界レベル等のマイクロ波の受信状態を表す情報が表示されるだけである。このため、調整作業に不慣れなオペレータにとっては、表示されたマイクロ波の受信状態を表す情報のみを頼りにどのような手順及び内容の調整操作を行えばよいのかが分からないことがある。また、熟練のオペレータであっても、調整項目が多い場合には常に適切な手順又は内容の調整操作を行えるとは限らず、その結果受信状態を良好の状態に設定することができないことがあった。
【０００５】
この発明は上記事情に着目してなされたもので、その目的とするところは、オペレータの練度によらず受信装置におけるマイクロ波の受信状態を常に良好な状態に調整することが可能な方向調整制御装置を提供することにある。
【課題を解決するための手段】
【０００６】
上記目的を達成するためにこの発明は、送信地点に配置され情報信号を指向性を有するアンテナから無線送信する送信装置と、受信地点に配置され上記送信装置から無線送信された情報信号を指向性を有するアンテナにより受信する受信装置とを有する伝送システムの、上記受信装置のアンテナの受信方向を遠隔制御する方向調整制御装置において、上記受信装置における上記情報信号の受信状態を表す情報を当該受信装置から取得して表示する手段と、オペレータの調整操作に応じて遠隔制御信号を生成し、この遠隔制御信号を上記受信装置へ送信して上記受信装置のアンテナの受信方向を遠隔制御する手段に加え、ガイド情報提示制御手段を備える。そして、このガイド情報提示制御手段により、上記調整操作を支援するための操作ガイド情報を生成して、この生成された操作ガイド情報を上記オペレータに提示するように構成したものである。
【発明の効果】
【０００７】
したがってこの発明によれば、方向調整制御装置では、受信装置における受信状態を表す情報ばかりでなく、調整操作を支援するための操作ガイド情報がオペレータに提示される。このため、オペレータは不慣れであってもまた調整項目が多数ある場合でも、操作ガイド情報を参照することにより常に適切な手順で適切な内容の調整操作を行うことが可能となり、これにより受信装置における受信状態を良好な状態に設定することが可能となる。また、調整に要する時間を短縮して作業能率を高めることもできる。  
すなわち、オペレータの熟練度によらず受信装置におけるマイクロ波の受信状態を常に良好な状態に調整することが可能な方向調整制御装置を提供することができる。
【発明を実施するための最良の形態】
【０００８】
以下、図面を参照してこの発明の実施形態を説明する。  
図１は、この発明の一実施形態に係わる方向調整制御装置が使用されるＦＰＵリモートコントロール機能付き伝送システムの概略構成図である。  
この伝送システムは、例えばマラソンや駅伝競走を中継する際に使用されるもので、コースとなる道路ＲＤに沿って複数の送信局（ここでは２台の場合を例示）ＭＳ１，ＭＳ２が配置される。また、山ＭＴの頂には基地局ＢＳ１が設置されている。この基地局ＢＳ１は、上記送信局ＭＳ１から送信される映像と音声からなる放送素材を放送局等のセンタＣＳに中継するもので、センタＣＳに対し見通しがきく場所を選んで設置される。また、基地局ＢＳ１とセンタＣＳとの間は有線専用回線（図示せず）を介して接続されている。この有線専用回線は、センタＣＳから基地局ＢＳ１を遠隔制御する際にその制御信号を伝送するために使用される。
【０００９】
図２は、上記伝送システムを構成する送信局ＭＳ１，ＭＳ２、基地局ＢＳ１及びセンタＣＳの構成を示すブロック図である。  
送信局ＭＳ１，ＭＳ２はそれぞれ送信機（ＴＸ）１１，１２を備える。これらの送信機１１，１２は、図示しないテレビジョンカメラにより撮像された被写体の映像及び音声をそれぞれ符号化したのち多重化して伝送ストリームを生成する。そして、この伝送ストリームにより中間周波信号を変調し、この変調された中間周波信号をマイクロ波からなる搬送波にアップコンバートした後、指向性を有する送信アンテナから無線伝送路Ｗ１，Ｗ２へ送信する。映像及び音声の符号化方式としては、例えばＭＰＥＧ（Motion Picture Experts Group）が用いられ、また変調方式としてはＱＡＭ（Quadrature Amplitude Modulation）やＯＦＤＭ（Orthgonal Frequency Division Multiplexing）等のディジタル変調方式が用いられる。ＭＰＥＧを用いた場合、上記伝送ストリームはＴＳ（Transport Stream）信号となる。
【００１０】
基地局ＢＳ１には回転受信装置２１が設けられている。回転受信装置２１は上記送信局ＭＳ１から送信された無線搬送波を受信するもので、高周波受信部と雲台とから構成される。高周波受信部は、受信アンテナ、帯域通過フィルタ（ＢＰＦ；Band Pass Filter）及び低雑音増幅器（ＬＮＡ；Low Noise Amplifier）２１１を有する。雲台はパン・チルト機構を有し、後述する遠隔制御信号に従い上記高周波受信部の受信アンテナの受信方向を可変する。
【００１１】
上記高周波受信部により受信された無線搬送波信号は、受信機（ＲＸ）２２でダウンコンバートされたのち伝送ストリームに復調され、ここでその受信品質が検出される。具体的には、受信電界レベル、余裕度、ビットエラーレート（ＢＥＲ；Bit Error Rate）、遅延プロファイル及びコンスタレーション（Constellation）が検出される。これらの検出情報は受信状態を表す情報として上記伝送ストリームに多重化され、送信機（ＴＸ）２３に入力される。送信機２３は、上記伝送ストリームにより中間周波信号をディジタル変調する。そして、この変調された中間周波信号をマイクロ波からなる無線搬送波にアップコンバートし、さらに所定の送信電力に増幅したのち、固定送信アンテナ２４からセンタＣＳに向けて無線伝送路Ｗ３へ送信する。
【００１２】
センタＣＳには固定受信アンテナ４１が設けてあり、上記基地局ＢＳ１から送信された無線搬送波はこの固定受信アンテナ４１により受信され、受信ユニット４０に入力される。受信ユニット４０は、受信機（ＲＸ）４２、デコーダ４３、遅延プロファイル抽出装置４４及びＷＥＢエンコーダ４５を備えている。入力された上記無線搬送波は、先ず受信機４２においてダウンコンバートされたのち伝送ストリームに復調される。そして、映像及び音声のストリームと受信状態を表す情報に分離され、映像及び音声のストリームはデコーダ４３に、また受信状態を表す情報は遅延プロファイル抽出装置４４にそれぞれ入力される。
【００１３】
デコーダ４３は、上記入力された映像及び音声のストリームを復号する。この復号された映像及び音声のデータは記憶または編集処理に供される。一方、遅延プロファイル抽出装置４４は、入力された受信状態を表す情報から受信電界レベル、余裕度、ビットエラーレート（ＢＥＲ）、遅延プロファイル及びコンスタレーションの検出情報を抽出する。この抽出された検出情報はＷＥＢエンコーダ４５へ出力され、このＷＥＢエンコーダ４５からローカルエリアネットワーク（ＬＡＮ；Local Area Network）５２を介して方向調整機能を備えた操作端末（以後、方調操作端末と呼称する）５１へ転送される。
【００１４】
また、センタＣＳには回転受信装置３１が設けられている。この回転受信装置３１は、上記送信局ＭＳ２から送信された無線搬送波を受信するもので、上記基地局ＢＳ１の回転受信装置３１と同様に、受信アンテナ、帯域通過フィルタ（ＢＰＦ）及び低雑音増幅器（ＬＮＡ）３１１を有する高周波受信部と、受信アンテナの受信方向を可変する雲台とから構成される。高周波受信部により受信された無線搬送波信号は、受信ユニット３０に入力される。
【００１５】
受信ユニット３０は、受信機（ＲＸ）３２、デコーダ３３、遅延プロファイル抽出装置３４及びＷＥＢエンコーダ３５を備えている。入力された上記無線搬送波信号は、先ず受信機（ＲＸ）３２でダウンコンバートされたのち伝送ストリームに復調され、この伝送ストリームはデコーダ３３に入力される。また、受信機３２では、上記無線搬送波信号及び復調後のストリームの受信品質が検出される。具体的には、受信電界レベル、余裕度、ビットエラーレート（ＢＥＲ）、遅延プロファイル及びコンスタレーションが検出される。この検出された各情報は、受信状態を表す情報として遅延プロファイル抽出装置３４に入力される。
【００１６】
デコーダ３３は、上記入力された映像及び音声のストリームを復号する。この復号された映像及び音声のデータは記憶または編集処理に供される。一方、遅延プロファイル抽出装置３４は、入力された受信状態を表す情報から受信電界レベル、余裕度、ビットエラーレート（ＢＥＲ）、遅延プロファイル及びコンスタレーションの検出情報を抽出する。この抽出された検出情報はＷＥＢエンコーダ３５へ出力され、このＷＥＢエンコーダ３５からＬＡＮ５２を介して方調操作端末５１へ転送される。
【００１７】
方調操作端末５１は、上記基地局ＢＳ１に設けられた回転受信装置２１及びセンタＣＳ内に設けられた回転受信装置３１の受信方向を遠隔操作する際に使用するもので、この方調操作端末５１から出力された遠隔制御信号は、センタＣＳ内に構築された制御系ネットワーク５３を介してリモコン親局５４，５６に送られる。
【００１８】
このうちリモコン親局５４は、上記送られた遠隔制御信号をシリアルデータに変換したのち、モデム５５、有線専用回線Ｌ１及び基地局のモデム２５を介してリモコン子局２６へ送信する。リモコン子局２６は、上記送られた遠隔制御信号に従い回転受信装置２１の雲台を駆動制御して受信アンテナの受信方向を可変する。またそれと共に、この受信方向の可変後の雲台の状態を表す情報を、監視情報としてモデム２５、有線専用回線Ｌ１及びモデム５５を介してセンタＣＳ内のリモコン親局５４へ送信する。この監視情報はリモコン親局５４から制御系ネットワーク５３を介して方調操作端末５１に転送される。
【００１９】
一方リモコン親局５６は、上記送られた遠隔制御信号に従い回転受信装置３１の雲台を駆動制御して受信アンテナの受信方向を可変する。またそれと共に、この受信方向の可変後の雲台の状態を表す情報を、監視情報として制御系ネットワーク５３を介して方調操作端末５１に送る。
【００２０】
ところで、方調操作端末５１は次のように構成される。図３はその機能構成を示すブロック図である。  
すなわち、方調操作端末５１はパーソナル・コンピュータからなり、中央処理ユニット（ＣＰＵ；Central Processing Unit）６１に対し、バス６２を介してプログラムメモリ６３、データメモリ６４、通信インタフェース（通信Ｉ／Ｆ）６５，６６及び入出力インタフェース（入出力Ｉ／Ｆ）６７を接続したものとなっている。
【００２１】
通信Ｉ／Ｆ６５は、センタＣＳ内に構築されたＬＡＮ５２との間でデータの送受信を行う。通信Ｉ／Ｆ６６は、センタＣＳ内に別途設けられた制御系ネットワーク５３との間でデータの送受信を行う。入出力Ｉ／Ｆ６７には、キーボード及びマウスからなる入力デバイス６８と、液晶表示器等の表示デバイス６９が接続されている。入出力Ｉ／Ｆ６７は、ＣＰＵ６１の制御の下で、入力デバイス６８において入力された制御コマンド等を取り込むと共に、表示データを表示デバイス６９に表示させる。
【００２２】
データメモリ６４には、調整項目リストと、ガイド情報リストと、方調制御に必要な受信状態の検出情報等が記憶される。調整項目リストは、調整対象となる機器ごとに予め用意された調整項目の一覧を示す情報である。ガイド情報リストは、上記調整項目リストの中からオペレータが選択した表示対象の調整項目と、この調整項目に対しオペレータが設定した表示優先順位とを相互に対応付けたものである。
【００２３】
プログラムメモリ６３には、この発明を実施する上で必要なアプリケーション・プログラムとして、方向調整制御プログラム６３１と、ガイド情報表示制御プログラム６３２と、調整項目設定制御プログラム６３３が格納されている。  
方向調整制御プログラム６３１は、方調モードが設定された状態で、回転受信装置２１，３１の受信状態を表す検出情報を通信Ｉ／Ｆ６５を介して受信して表示デバイス６９の方調制御画面に表示させると共に、入力デバイス６８において入力された制御コマンドに応じた遠隔制御信号を通信Ｉ／Ｆ６６から制御対象の回転受信装置２１，３１に向け送信させる処理を、上記ＣＰＵ６１に実行させる。
【００２４】
ガイド情報表示制御プログラム６３２は、方調モードが設定された状態で、上記方調制御画面に表示されたガイドボタンが押下された場合に、データメモリ６４から調整対象として選択された機器種別に対応するガイド情報リストを読み出して上記方調制御画面に表示させる処理を、上記ＣＰＵ６１に実行させる。
【００２５】
調整項目設定制御プログラム６３３は、方調設定モードが設定された状態で、データメモリ６４から調整対象リストを読み出して表示デバイス６９に表示させ、この表示されたリストの中から表示対象とする調整項目の選択操作が行われた場合にこの選択された調整項目をガイド情報リストに加えると共に、当該選択された調整項目に対し指定入力された優先順位を当該調整項目に対応付けて上記ガイド情報リストに記憶させる処理を、上記ＣＰＵ６１に実行させる。図７はこのガイド情報リストの一例を示すものである。
【００２６】
次に、以上のように構成された方調操作端末５１による制御動作を説明する。図４はその制御手順と制御内容を示すフローチャート、図８は表示デバイス６９に表示される画面の一例を示すものである。  
（１）準備  
調整を行う場合には、送信局ＭＳ１，ＭＳ２のオペレータと、センタＣＳの方調操作担当オペレータとの間で無線連絡を行える環境を設定する。これは、例えば公衆の自動車・携帯通信網を利用することで実現できる。
【００２７】
（２）方調制御  
方調操作端末５１において、オペレータは先ず入力デバイス６８を操作して、調整対象の伝送経路、つまり送信局ＭＳ１から送信される放送素材を回転受信装置２１を介して伝送する伝送経路と、送信局ＭＳ２から送信される放送素材を回転受信装置３１を介して伝送する伝送経路のうちの一方を選択したのち、画面上に表示された方調画面表示ボタン７１を押下する。
【００２８】
そうするとＣＰＵ６１は、ステップＳ４１で上記方調ボタン７１の操作を検出してステップＳ４２に移行し、ここでデータメモリ６４から方調用画面のテンプレートを読み出してこのデータを表示デバイス６９に表示させる。この方調用画面には、図８に示す各表示情報のうち、受信電界レベル表示部７２、回転受信装置の現在角度表示エリア７３、遅延プロファイル表示ボタン７５、回転受信装置の状態表示エリア７７、回転受信装置の制御情報エリア７８及びガイドボタン８１が含まれる。
【００２９】
ところで、調整を行う場合にオペレータは、先ず伝送システムにおいて無線変調方式としてアナログ方式（ＦＭ方式）を使用するのか、或いはディジタル変調方式（ＱＡＭまたはＯＦＤＭ方式）を使用するのかを判断する。そして、ディジタル変調方式を使用する場合には、入力デバイス６８を操作して、画面上に表示された遅延プロファイル表示ボタン７５を押下する。そうするとＣＰＵ６１は、この遅延プロファイル表示ボタン７５の操作をステップＳ４３で検出してステップＳ４４に移行し、ここで方調支援画面７６を地図画面７４内の決められたエリアに表示させる。方調支援画面７６には、図８に示すように受信電界レベル、余裕度、ＢＥＲ、遅延プロファイル及びコンスタレーションの検出情報が表示される。  
なお、アナログ変調方式を使用する場合には、受信電界レベル表示部７２に表示される情報のみで調整が可能であるため、遅延プロファイル表示ボタン７５を押下して方調支援画面７６を表示させる必要はない。
【００３０】
次にオペレータは、ガイドボタン８１を押下する。そうするとＣＰＵ６１は、このガイドボタン８１の押下をステップＳ４５で検出してステップＳ４６に移行し、ここで次のようにガイド情報の表示制御を実行する。図５はその制御手順と制御内容を示すフローチャートである。
【００３１】
すなわち、ＣＰＵ６１はステップＳ５１においてデータメモリ６４からガイド情報８２を読み出して、表示デバイス６９の地図画面７４の決められたエリアに表示させる。ガイド情報８２は、ガイダンスメッセージ表示部８２１と、調整の達成率を表示するインジケータ８２２とから構成される。
【００３２】
このうちガイダンスメッセージ表示部８２１は、調整対象の機器種別に応じて階層化されており、機器種別を表すラベルを選択すると、この選択された機器種別に応じた各調整項目のガイダンスメッセージが表示される。例えば、オペレータが「受信機モードの確認」を選択した場合には、図９に示すように受信機２２又は３２の調整項目に対応するガイダンスメッセージが表示され、また「回転受信装置の確認」を選択した場合には、図１０に示すように回転受信装置２１又は３１の調整項目に対応するガイダンスメッセージが表示される。なお、オペレータが機器種別を選択しない状態では、「受信機モードの確認」に対応するガイダンスメッセージが最初に表示されるようにデフォルト設定されている。
【００３３】
ガイダンスメッセージの表示順序は、調整項目に対し予め設定された優先順位により決まる。この優先順位は、図７に示すようにガイド情報リストに記憶されている。なお、ガイダンスメッセージは、図９及び図１０に例示するように「〜を行っていますか？」のような質問形式で記述される。また、ガイダンスメッセージ表示部８２１には、各調整項目のガイダンスメッセージに対応付けて確認ボタン８３が表示される。
【００３４】
オペレータは、上記表示されたガイド情報に従って順に調整操作を行う。例えば、先ず受信機モードの確認において、図９に示すガイド情報に従い、先ず周波数チャネルが送信局ＭＳ１の送信機１１、又は送信局ＭＳ２の送信機１２に対応しているかどうかを確認し、次に変調モードが上記送信局ＭＳ１の送信機１１又は送信局ＭＳ２の送信機１２と対応しているかどうかを確認する。そして、以後伝送ビットレートの確認及び占有帯域幅の確認を順次行う。以上の基地局ＢＳ１の受信機２２、又はセンタＣＳの受信機３２のモード確認は、送信局ＭＳ１又はＭＳ２のオペレータと無線通信により連絡をとりながら実行する。
【００３５】
また、以上の確認作業においてオペレータは、一つの調整項目について確認が終了するごとに対応する確認ボタン８３をクリックする。そうすると、ＣＰＵ６１はこの確認ボタン８３の操作をステップＳ５２で検出し、ステップＳ５３により確認ボタンの表示を「確認済」に変化させる。また、一つの調整項目について確認ボタン８３がクリックされるごとに、ＣＰＵ６１はステップＳ５４により調整の達成率を表すインジケータ８２２の表示を更新する。かくして、オペレータは各調整項目についての確認の有無と、調整作業の進み具合を確認することが可能となる。
【００３６】
また、上記確認ボタン８３がクリックされるごとに、ＣＰＵ６１はステップＳ５５において、一つの機器種別に対応するすべての調整項目について確認済となったか否かを判定する。そして、一つの機器種別に対応するすべての調整項目が「確認済」となった場合には、ステップＳ５６において調整終了メッセージを生成して、この調整終了メッセージをガイド情報の表示エリアに表示させる。
【００３７】
上記「受信機モードの確認」に対する確認作業が終了すると、オペレータは続いてガイド情報８２の「回転受信装置の確認」ラベルを選択する。そうするとＣＰＵ６１は、回転受信装置の確認に必要な調整項目のガイダンスメッセージをデータメモリ６４から読み出し、図１０に示すように表示させる。この状態でオペレータは、上記表示されたガイダンスメッセージに従い、回転受信装置２１又は３１の各調整項目についての確認作業を行う。そして、確認が終了した調整項目については対応する確認ボタン８３をクリックする。
【００３８】
また、回転受信装置２１又は３１に対する動作モードの確認工程には、図７に示すように回転受信装置２１又は３１の受信方向の調整作業も含まれている。この回転受信装置２１又は３１の受信方向の調整は、オペレータが入力デバイス６８により方向を調整するための制御コマンドを入力することにより行われる。
【００３９】
すなわち、制御コマンドが入力されると、ＣＰＵ６１はステップＳ４７からステップＳ４８に移行し、ここで当該制御コマンドをもとに遠隔制御信号を生成して、この遠隔制御信号を通信Ｉ／Ｆ６６から制御系ネットワーク５３を介してリモコン親局５４又は５６へ送信する。そうすると、リモコン親局５４に送られた遠隔制御信号はモデム５５、有線専用回線Ｌ１及びモデム２５を介して基地局ＢＳ１内のリモコン子局２６に転送される。リモコン子局２６は、上記遠隔制御信号に従い回転受信装置２１の雲台を駆動し、これにより送信局ＭＳ１に対する受信アンテナの受信方向を調整する。一方、リモコン親局５６は、上記送られた遠隔制御信号に従い回転受信装置３１の雲台を駆動し、これにより送信局ＭＳ２に対する受信アンテナの受信方向を調整する。
【００４０】
また上記受信方向の調整を行った後の雲台の状態を表す情報、つまり水平方向及び垂直方向の角度を表す情報は、監視情報としてセンタＣＳの方調操作端末５１に返送される。そうするとＣＰＵ６１は、上記返送された監視情報をステップＳ４８で受信し、この受信した監視情報を回転受信装置２１又は３１の現在の設定角度を表示するためのエリア７３に表示させる。
【００４１】
以後同様に、調整対象の機器ごとに、表示画面に表示されるガイド情報に従って順次各調整項目についての調整または確認処理が行われる。なお、図９及び図１０では、図示の簡単のため「受信機モードの確認」及び「回転受信装置の確認」のガイド情報のみが表示される場合を示したが、図７に示した「付帯設備の確認」や「その他の確認」に対応するガイド情報も同様に表示される。
【００４２】
すべての調整項目に対する調整または確認が終了すると、オペレータは入力デバイス６８において方調終了操作を行う。そうするとＣＰＵ６１は、この方調終了操作をステップＳ４９で検出して制御を終了する。
【００４３】
（３）調整項目の設定変更  
ガイド情報として表示する調整項目は、一般的な知識を有するオペレータに対応してデフォルト設定されている。このため、オペレータによっては実質的に必要のない調整項目がガイド情報として表示されたり、反対に必要な調整項目が表示されないことが起こり得る。このような場合、オペレータは方調操作端末５１が備える調整項目設定制御プログラム６３３を使用して、ガイド情報リストを自身に適合するものに変更する。
【００４４】
ガイド情報リストを変更する場合、オペレータは入力デバイス６８を操作して調整項目設定制御プログラム６３３を起動させる。ＣＰＵ６１は、起動された調整項目設定制御プログラム６３３に従い、以下のように調整項目の設定制御を実行する。図６はその制御手順及び制御内容を示すフローチャートである。
【００４５】
すなわち、先ず表示デバイス６９には機器種別の一覧が表示される。この状態で、オペレータが変更対象の機器種別を選択すると、ＣＰＵ６１はステップＳ６１からステップＳ６２に移行し、上記選択された機器種別に対応するすべての調整項目のリストをデータメモリ６４から読み出して表示デバイス６９に表示させる。なお、このとき表示された調整項目のうち現在のガイド情報リストに設定されている調整項目にはマークを付けるか、或いは太字または異なる色で表示する。
【００４６】
この状態でオペレータが入力デバイス６８を操作して、上記表示された調整項目リスト中から追加項目を選択すると、ＣＰＵ６１はステップＳ６３によりこの選択された追加項目をガイド情報リストに追加すると共に、当該項目に対する優先順位の入力を受け付ける状態となる。そして、ここでオペレータが入力デバイス６８を操作して優先順位を入力すると、ＣＰＵ６１はこの入力された優先順位を上記選択された追加項目に対応付けてガイド情報リストに記憶させる。なお、表示された調整項目リスト中の項目の一つが選択された状態で削除操作が行われた場合には、ＣＰＵ６１は上記選択された項目をガイド情報リストから削除する。
【００４７】
以後同様に、表示された調整項目中の項目が一つ選択されるごとに、ＣＰＵ６１はステップＳ６５からステップＳ６３に戻って、上記ステップＳ６３及びステップＳ６４による調整項目の追加と優先順位の設定、或いは項目の削除処理を実行する。なお、ガイド情報リストに設定中の調整項目を選択した状態で優先順位の入力操作を行えば、ガイド情報リストに設定中の調整項目に対する優先順位の設定変更も可能である。
【００４８】
以上の調整項目設定制御は、オペレータが入力デバイス６８において終了操作を行うことにより終了する。なお、他の機器種別のガイド情報リストを変更する場合には、上記調整項目設定制御を一旦終了したのち調整項目設定制御プログラム６３３を再度起動させて機器種別の一覧を表示させるか、または機器種別の一覧を表示させる操作を行うことにより、同様に行うことができる。
【００４９】
以上述べたようにこの実施形態では、送信局ＭＳ１，ＭＳ２から送信される無線搬送波が基地局ＢＳ１の回転受信装置２１及びセンタＣＳの回転受信装置３１において適切に受信されるように、センタＣＳ内に設けられた方調操作端末５１により上記回転受信装置２１又は３１を遠隔制御する際に、方調操作端末５１において上記回転受信装置２１又は３１の受信状態を表す情報に加え、動作確認または調整対象となる調整項目のガイド情報を表示デバイス６９に表示させるようにしている。
【００５０】
したがって、調整に不慣れなオペレータでも、また調整項目が多数ある場合でも、上記表示されたガイド情報に従い調整項目の動作確認または調整操作を行うことにより、常に適切な手順で適切な内容の調整操作を行うことが可能となり、これにより回転受信装置２１又は３１における受信状態を良好な状態に設定することが可能となる。また、動作確認または調整作業に要する時間を短縮して作業能率を高めることができる。
【００５１】
また、この実施形態ではガイド情報として表示される複数の調整項目に対し優先順位を設定しておき、この設定された優先順位に従って調整項目のガイダンスメッセージを順に表示するようにしている。このため、オペレータは優先順位の高い調整項目から順に動作確認または調整操作を行うことが可能となり、これにより一層適切な調整作業を行うことができる。
【００５２】
さらに、上記ガイド情報として表示する調整項目およびその優先順位を設定変更する機能を設けたことにより、オペレータは自身の熟練度等に応じて適切なガイド情報を生成して使用することができる。この結果、例えば熟練度の高いオペレータは重要な調整項目のガイダンスメッセージのみを表示させるようにし、これにより作業能率を高く維持した上で確実な調整作業を行うことが可能となる。一方、不慣れなオペレータは重要な調整項目だけでなく一般的な調整項目についてもガイド情報に加えることで、常に誤りのない正確な調整作業を行うことが可能となる。
【００５３】
なお、この発明は上記実施形態に限定されるものではない。例えば、前記実施形態ではガイドボタンの押下に応じてガイド情報を表示するようにしたが、方調ボタンの操作に応じて受信状態を表す各種情報と共にガイド情報を表示するようにしてもよい。またその際、調整対象の機器種別の選択操作に応じて、当該選択された機器種別に対応するガイド情報を選択し表示するようにしてもよい。
【００５４】
また前記実施形態では、方調操作端末５１において、基地局ＢＳ１の受信機２２及びセンタＣＳの受信機３２から伝送された、回転受信装置２１又は３１の現在の受信状態を表す情報（受信電界レベル、余裕度、ＢＥＲ、遅延プロファイル及びコンスタレーション）のみを方調支援画面７６に表示するようにした。しかし、この伝送された現在の受信状態を表す情報に加えて、方調操作端末５１においてオペレータが設定した受信状態の調整情報を並べて表示するようにしてもよい。このようにすると、オペレータは回転受信装置２１又は３１の現在の受信状態を表す情報と、自身が設定した受信状態の調整情報とを見比べながら、調整作業を行うことが可能となる。
【００５５】
さらにその際、上記伝送された回転受信装置２１又は３１の現在の受信状態を表す情報とオペレータが設定した受信状態の調整情報とをＣＰＵ６１により照合し、その照合結果、例えば一致の有無を表すメッセージ或いは差の量を表す情報、さらにはこの差を低減するための操作ガイダンス情報を表示デバイス６９に表示させるようにしてもよい。このようにすると、不慣れなオペレータでもより一層簡単かつ正確に調整作業を行うことが可能となる。
【００５６】
さらに、ガイド情報提示手段としては、ガイド情報を表示デバイス６９に表示する以外に、音声合成手段を用いて音声に変換して出力するようにしてもよく、その他ガイド情報の内容、提示レイアウト等についても、如何に設定してもよい。また、基地局ＢＳ１、センタＣＳ及び方調操作端末５１の構成や、方調制御手順とその内容、伝送システムの用途等についても、この発明の要旨を逸脱しない範囲で種々変形して実施できる。
【００５７】
要するにこの発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。さらに、異なる実施形態に亘る構成要素を適宜組み合せてもよい。
【図面の簡単な説明】
【００５８】
【図１】この発明の一実施形態に係わる方向調整制御装置が使用されるＦＰＵリモートコントロール機能付き伝送システムの概略構成図である。
【図２】図１に示したＦＰＵリモートコントロール機能付き伝送システムの各局の構成を示すブロック図である。
【図３】図２に示した方向調整制御装置としての方調操作端末の機能構成を示すブロック図である。
【図４】図３に示した方調操作端末による方調制御手順と制御内容を示すフローチャートである。
【図５】図４に示した方調制御手順におけるガイド情報表示制御の手順と内容を示すフローチャートである。
【図６】図３に示した方調操作端末による調整項目設定制御の手順と内容を示すフローチャートである。
【図７】図３に示した方調操作端末にガイド情報として表示される調整項目の一例を示す図である。
【図８】図３に示した方調操作端末における表示画面の一例を示す図である。
【図９】ガイド画面の第１の表示例を示す図である。
【図１０】ガイド画面の第２の表示例を示す図である。
【符号の説明】
【００５９】
ＭＳ１，ＭＳ２…送信局、ＢＳ１…基地局、ＣＳ…センタ、Ｗ１，Ｗ２，Ｗ３…無線伝送路、Ｌ１…有線専用回線、１１，１２，２３…送信機、２１，３１…回転受信装置、２２，３２，４２…受信機、２４…基地局の送信アンテナ、２５，５５…モデム、２６…リモコン子局、３３，４３…デコーダ、３４，４４…遅延プロファイル抽出装置、３５，４５…ＷＥＢエンコーダ、５１…方調操作端末、５２…ＬＡＮ、５３…制御系ネットワーク、５４，５６…リモコン親局、３０，４０…センタの受信ユニット、６１…ＣＰＵ、６２…バス、６３…プログラムメモリ、６４…データメモリ、６５，６６…通信インタフェース（通信Ｉ／Ｆ）、６７…入出力インタフェース（入出力Ｉ／Ｆ）、６８…入力デバイス、６９…表示デバイス、７０…方調制御画面、７１…方調ボタン、７２…受信電界レベル表示部、７３…回転受信装置の現在角度表示エリア、７４…地図画面、７５…遅延プロファイル表示ボタン、７６…方調支援画面、７７…回転受信装置の状態表示エリア、７８…回転受信装置の制御エリア、８１…ガイドボタン、８２…ガイド画面、８３…確認ボタン、８４…確認済表示、８２１，８２２…ガイド情報。
【図１】
2009118269.tif 000003
【図２】
2009118269.tif 000004
【図３】
2009118269.tif 000005
【図４】
2009118269.tif 000006
【図５】
2009118269.tif 000007
【図６】
2009118269.tif 000008
【図７】
2009118269.tif 000009
【図８】
2009118269.tif 000010
【図９】
2009118269.tif 000011
【図１０】
2009118269.tif 000012